(57)【特許請求の範囲】
【請求項１】
周壁内部に、軸心方向に延びるジャケット室を円周方向に沿って複数設けた中空のローラシェルと、前記ローラシェルの中空内部に配置された誘導発熱機構とを備えてなる誘導発熱ローラ装置において、前記ローラシェルを、隣合う複数の部分ローラによって構成し、隣合う前記部分ローラの互いに向かいあう各周壁の端面における内周側端面を中央部端面より突出させるとともに、外周側端面を中央部端面より窪ませて形成し、前記部分ローラの内周側端面同志を突合せて溶接し、隣合う前記部分ローラの外周側端面間の隙間に、窪ませて形成した中央部の外周面を囲繞する筒体を嵌合し、前記筒体の端縁と前記部分ローラの外周側端縁とを気密に溶接してなる誘導発熱ローラ装置。
【発明の詳細な説明】
【０００１】
【発明の属する技術分野】
本発明は回転するローラシェルの周壁の内部に、内部に気液二相の熱媒体を封入したジャケット室を備えてなる誘導発熱ローラ装置に関する。
【０００２】
【従来の技術】
誘導発熱ローラ装置において、回転するローラシェルの周壁の内部にジャケット室を設け、この内部に気液二相の熱媒体を封入するとともに、ローラシェルの内部に誘導発熱機構を配備した構成はよく知られている。このような構成からなる従来の誘導発熱ローラ装置を図７によって説明すると、１はローラシェル、２はその両側に一体的に取り付けられてあるジャーナルで、軸受３を介して機台４に回転自在に支持され、任意の駆動源によって回転駆動される。
【０００３】
５は誘導発熱機構で、支持ロッド６によりローラシェル１の内部に支持されている。支持ロッド６はジャーナル２内に挿通され、軸受７を介してジャーナル２に支持されている。誘導発熱機構５は筒状の鉄心８と、その外周に巻装されている誘導コイル９とにより主として構成されている。誘導コイル９はリード線１０を介して外部の交流電源に接続されている。
【０００４】
ローラシェル１の周壁内部には、その円周方向に沿って並ぶ複数のジャケット室１１がローラシェル１の軸心方向に延びるように、ドリルなどによって穿孔加工されて構成される。そしてその内部に気液二相の熱媒体が封入される。１２は各ジャケット室を互いに連通させる連通溝である。図８はローラシェル１の端部近傍の一部を拡大して示したものである。
【０００５】
図８に示すローラシェル１は、主体となる部分ローラ７０と、その端面を閉塞する部分ローラ７１とによって構成されている。そして部分ローラ７０の内周端７２が外周端７３より内側に位置するように切削されている。部分ローラ７１はローラシェル１の外周端７３の内側に嵌合させる。
【０００６】
このとき部分ローラ７１の内端面７４はジャケット室１１の端部と間隙７５を介して相対するようにしてある。この状態において外周端７３と部分ローラ７１の外側外周７６とを、また内周端７２と部分ローラ７１の内周端７７とを溶接によって固定する。７８、７９はその溶接部を示す。
【０００７】
これにより各ジャケット室１１は外部に対して密閉されるとともに、間隙７５を連通溝として互いに連通し合うようになり、ローラシェル１が構成される。しかしこのように構成する場合、溶接部７９はローラシェル１の内周面に位置することになり、したがって溶接機をローラシェル１の内側空間に入れなければならない。
【０００８】
そのためローラシェル１が小径である場合は、溶接機がローラシェル１の内側空間に入らないことがある。また連通溝をローラシェル１の端面より奥側に設けることを必要とする場合があるが、そのため溶接部７９がローラシェル１の端面より奥深い個所に位置するような場合には、溶接機をその個所まで入れることが困難となる。いずれの場合も溶接が困難となったり、不可能となることがある。
【０００９】
図９に示す別の従来構成は部分ローラ８１を用意し、その内面に溝８２を設けるとともに、部分ローラ８１の外周端８３と部分ローラ８０の外周端８４とを、また部分ローラ８１の内周端８５と部分ローラ８０の内周端８６とを溶接によって固定するようにしている。８７、８８はその溶接部を示す。
【００１０】
これにより各ジャケット室１１は外部に対して密閉されるとともに、溝８２を連通溝として互いに連通し合うようになる。しかしこのような構成においても、溶接部８８のようにローラシェル１の内周面を溶接しなければならない。そのため図８の場合と同じく、その部分の溶接が困難となるし、不可能となることがある。
【００１１】
【発明が解決しようとする課題】
本発明は、ローラシェルを部分ローラの複数を溶接によって連設して構成するにあたり、その構成に必要な溶接を容易とすることを目的とする。
【００１２】
【課題を解決するための手段】
本発明は、周壁内部に、軸心方向に延びるジャケット室を円周方向に沿って複数設けた中空のローラシェルを隣合う複数の部分ローラによって構成し、隣合う部分ローラの互いに向かいあう各周壁の端面における内周側端面を中央部端面より突出させるとともに、外周側端面を中央部端面より窪ませて形成し、前記部分ローラの内周側端面同志を突合せて溶接し、隣合う前記部分ローラの外周側端面間の隙間に、窪ませて形成した中央部の外周面を囲繞する筒体を嵌合し、前記筒体の端縁と前記部分ローラの外周側端縁とを気密に溶接してなることを特徴とする。
【００１３】
隣合う部分ローラの内周端縁同志を突き合わせた状態では、部分ローラの外周端縁同志の間には間隙が形成されるようになる。この間隙を介して内周端縁の突合せ部分は露呈される。この間隙を通ってローラシェルの外周から溶接機を入れるようにすれば、ローラシェルの外周からこの突合せ部分を溶接することができるようになる。したがって溶接すべき個所がローラシェルの軸心方向に沿う奥深い内周面にあっても、その溶接は可能であり、容易である。
【００１４】
この溶接のあと、間隙を閉塞するためにローラシェルと同じ材質の筒体を用意し、これをローラシェルの外周から前記間隙に嵌合し、突合せ部分をふさぐ。そしてこの嵌合部分である筒体とローラ本体の外周端縁および補助ローラの外周端縁とを溶接して固定する。この場合間隙は各ジャケット室に連通しているので、この間隙をジャケット室連通のための連通部として利用することができる。
【００１５】
なおひとつの部分ローラに連設される他の部分ローラは、必ずしもローラシェルの端部に位置するものに限られるものではなく、部分ローラと同じような形状のものを利用してこれを連設する場合にも、本発明は適用される。
【００１６】
【発明の実施の形態】
本発明の実施態様を図１以降の各図によって説明する。なお図７に示す符号と同じ符号を附した部分は、同一または対応する部分を示す。図１は、ローラシェル１を、部分ローラ本体１Ａと、その両端部に連設される二つの部分ローラ１Ｂとによって構成された例を示す。
【００１７】
部分ローラ１Ａにはその周壁内部にジャケット室１１Ａが、また部分ローラ１Ｂには同じくその周壁内部にジャケット室１１Ｂが形成されている。そして部分ローラ１Ａのジャケット室１１Ａは部分ローラ１Ａの周壁を貫通しており、部分ローラ１Ｂのジャケット室１１Ｂは、その外端側において閉塞されている。
【００１８】
部分ローラ１Ａと部分ローラ１Ｂとの連設状態の断面を部分的に拡大して示したのが図２であり、またこれを分解して示したのが図３である。これらの図から理解されるように、一方の部分ローラ１Ａの周壁の端面における内周端縁２１が外周端縁２２より端面側に突出するように形成する。同様に他方の部分ローラ１Ｂの周壁の端面における内周端縁２３が外周端縁２４より端面側に突出するように形成する。なお外周端縁２２、２４には段部２５、２６を形成しておく。
【００１９】
このように構成された部分ローラ１Ａならびに部分ローラ１Ｂを、その各内周端縁２１、２３同志が突き合わされるように並べると、各外周端縁２２、２４との間に間隙２７が形成される。この間隙２７からは前記した突合せ部分がローラシェル１の外周側に露呈される。
【００２０】
この間隙２７を利用してここから溶接機を差し込むことにより、各内周端縁２１、２３同志の突合せ部分を、ローラシェル１の外周側から溶接することができる。２８はその溶接部を示す。この溶接機は部分ローラシェルの外周から差し込むことができるので、突合せ部分がローラシエル１の軸心方向に沿う奥深い位置にあっても、その溶接は可能である。
【００２１】
このように突合せ部分を溶接したあと、間隙２７を筒体３０をもって外から覆う。筒体３０は図５に示すようにひとつの筒体を二分割して得た分割筒３１、３２からなり、各分割筒３１、３２を間隙２７をローラシェル１の外側から覆うようにあてがい、その両縁部を段部２５、２６の上にのせて安定させる。そして分割筒３１、３２の各縁部を部分ローラ１Ａの外周端縁２２ならびに部分ローラ１Ｂの外周端縁２４とに気密に溶接する。３３、３４はその溶接部を示す。
【００２２】
溶接部３３、３４における溶接は、ローラシェル１の外周から実行できるので、これも溶接部２８における溶接と同様に容易である。これらの溶接によって部分ローラ１Ａならびに部分ローラ１Ｂは互いに機械的に連設されることになる。間隙２７は筒体３０によって気密に覆われるとともに、各ジャケット室１１Ａ、１１Ｂはこの間隙２７に向かって開口するので、各ジャケット室１１Ａ、１１Ｂは間隙２７を連通溝として互いに連通し合うようになる。
【００２３】
以上の実施例は、ひとつの部分ローラとその両端に配置される二つの部分ローラとによってひとつのローラシェルを構成した例であったが、これに代えて同じ形状の複数の部分ローラを連設する場合でも適用できる。その実施例を示したのが図６である。同図は連設される３本の部分ローラ１Ａと、その両端に配置される２本の部分ローラ１Ｂとによって、ひとつのローラシェル１を構成した例である。
【００２４】
この構成においても、各部分ローラ１Ａの周壁の端面において、図２、図３に示す構成と同じく、内周端縁２１が外周端縁２２より端面側に突出するように形成し、各内周端縁２１同志を溶接し、次いで外周端縁２２同志の間の間隙に筒体３０をあてがって密閉し、溶接する。これによって複数の部分ローラ１Ａ同志を連設することができる。また連設された部分ローラ１Ａの両側に、前記した同様に部分ローラ１Ｂを溶接して連結すればよい。各ジャケット室は間隙２７を介して互いに連通し合う。
【００２５】
このようにすれば複数の部分ローラによって長いローラシェルを構成する場合でも、各部分ローラの連設のための溶接は、ローラシェルの外周から可能となるので、如何様に長いローラシェルでも溶接の困難性をともなうことなく製作可能となる。あるいは所定長の部分ローラの複数を予め用意しておけば、任意の数の部分ローラを溶接により連設すれば、任意の面長のローラシェルを簡単に製作することができる。
【００２６】
またこのように構成すれば、ローラシェルの軸心方向に沿う複数の個所に、個々のジャケット室を連通するための連通溝の設置を必要とする場合でも、複数の部分ローラを使用し、これを順次連設することにより、複数の個所における連通溝の設置は容易となる。
【００２７】
【発明の効果】
以上説明したように本発明によれば、ローラシェルを隣合う部分ローラを溶接によって連設して構成するにあたり、その連設に必要な溶接を、ローラシェルの外周からできる構成とされているので、連設のための必要な溶接個所が、ローラシェルの軸心方向に沿う奥深い位置にあっても、容易に溶接することができる効果を奏する。
【図面の簡単な説明】
【図１】本発明の実施態様を示す断面図である。
【図２】図１の部分拡大断面図である。
【図３】図３の分解図である。
【図４】図３の一部の斜視図である。
【図５】筒体の斜視図である。
【図６】本発明の別の実施態様を示す部分拡大断面図である。
【図７】従来例の断面図である。
【図８】図７の部分拡大断面図である。
【図９】図７の他の例の部分拡大断面図である。
【符号の説明】
１  ローラシェル
１Ａ  部分ローラ
１Ｂ  部分ローラ
５  誘導発熱機構
１１Ａ  ジャケット室
１１Ｂ  ジャケット室
２１  内周端縁
２２  外周端縁
２３  内周端縁
２４  外周端縁
２７  間隙
２８  溶接部
３０  筒体
３３  溶接部
３４  溶接部
【図１】
0004271344.tif 000002
【図２】
0004271344.tif 000003
【図３】
0004271344.tif 000004
【図４】
0004271344.tif 000005
【図５】
0004271344.tif 000006
【図６】
0004271344.tif 000007
【図７】
0004271344.tif 000008
【図８】
0004271344.tif 000009
【図９】
0004271344.tif 000010